(57)【要約】  印刷版を効率的に版胴に馴染ませ、試し刷りを行うダミー印刷基板数を削減し、印刷作業中断、停滞時に早期に印刷作業に復帰可能な印刷装置を提供する。  印刷装置５０の装置本体１と版胴４とを備える。装置本体１は上流部８、下流部１０及び印刷部１４を備える。上流部８はアニロックスロール１６を有する。下流部１０は、下流部１０側に移動した版胴４の印刷版２に対して接離自在に配設された回転可能なダミーロール２２と、洗浄液２４をダミーロール２２に付着させる下流側ドクターロール２８と、ダミーロール２２と下流側ドクターロール２８とを移動させ、印刷版２にダミーロール２２を接触させる駆動ユニット３０と、これらを収納する収納部３２とを有する。印刷部１４は、試し印刷が為されるダミー印刷基板４０及び前記ダミー印刷後に正規の印刷が行われる正規印刷基板１２が配設される配設部位を備える。
2018051384.tif 000002
【特許請求の範囲】
【請求項１】
上流部と下流部及び両者の間に設けられた印刷部を備えた装置本体と、印刷版が装着され、上流部と下流部との間及び上流部と印刷部との間で往復移動可能且つ回転可能に設けられた版胴とを備えた印刷装置であって、
上流部は、
上流部側に移動した版胴の印刷版に接触しつつ回転し、その表面に塗布されている印刷液を印刷版に転移塗着させるアニロックスロールを有し、
下流部は、
下流部側に移動した版胴の印刷版に対して接離自在に配設された回転可能なダミーロールと、
ダミーロールに回転しつつ接触して該接触部位に形成された下流側液溜まりに供給された洗浄液をダミーロールに付着させる下流側ドクターロールと、
ダミーロールと下流側ドクターロールとを移動させ、印刷版方向への移動時に下流部に位置する印刷版にダミーロールを接触させる駆動ユニットと、
ダミーロールの印刷版方向への移動側に設けられたダミーロール露出用の開口部、及び、該記開口部に開閉自在に設けられ、ダミーロールが印刷版から離間した時に開口部を閉塞するシャッターカバーとを備え、その内部にダミーロールと下流側ドクターロールとを収納する収納部とを有し、
印刷部は、試し印刷が為されるダミー印刷基板及び前記ダミー印刷後に正規の印刷が行われる正規印刷基板が配設される配設部位を備える、
ことを特徴とする印刷装置。
【請求項２】
ダミーロールと下流側ドクターロールは、それぞれ別のモータで回転駆動されていることを特徴とする請求項１に記載の印刷装置。
【請求項３】
請求項１に記載の印刷装置を用いて印刷を行う方法であって、
印刷版を版胴に装着し、
印刷版を装着した版胴を下流部へ移動させ、且つ、シャッターカバーを作動させて収納部の開口部を開き、移動させたダミーロールを開いた開口部から露出させ、露出したダミーロールを版胴の印刷版に押圧させつつ回転させて印刷版を版胴に馴染ませ、
次に、版胴が下流部から上流部に移動した時にアニロックスロールに印刷版を接触させて印刷版への印刷液の転移塗布を行わせ、版胴が下流部に移動した時に下流側液溜まりの洗浄液が付着されたダミーロールを移動させて印刷版に接触しつつ回転させ、これによりダミーロールの表面に印刷版の印刷液を転写させてロール試し刷りを行い、
ロール試し刷りの後、ダミーロールを印刷版から離脱方向に移動させ、且つ、版胴を上流部に移動させて印刷版への印刷液の転移塗布を行わせる往復動作を１乃至複数回行わせ、
続いて、版胴を上流部と印刷部との間を往復させ、上流部において印刷液が転移塗布された印刷版により、印刷部に設置されたダミー印刷基板に基板試し刷りをし、且つ基板試し刷りの都度ダミー印刷基板を交換させ、
基板試し刷り終了後、ダミー印刷基板を正規の印刷基板に交換させ、版胴を上流部と印刷部との間に往復させて正規の印刷基板に印刷をさせる、
ことを特徴とする印刷方法。
【請求項４】
洗浄液を下流側液溜まりに供給し、これを回転している下流側ドクターロールにて回転しているダミーロール表面全体に均一に塗着させるようにすることを特徴とする請求項３に記載の印刷方法。
【請求項５】
ダミーロール及び下流側ドクターロールを駆動ユニットにより印刷版から離脱する方向に移動させて収納部に収納し、然る後、収納部の開口部をシャッターカバーで閉塞してダミーロールを外気から遮断することを特徴とする請求項３に記載の印刷方法。
【請求項６】
印刷版が装着された版胴を印刷部から下流部へ移動させ、且つ、シャッターカバーを開いて収納部の開口部を開放させ、
ダミーロール及び下流側ドクターロールを駆動ユニットにより、下流部に移動した印刷版側に移動させてダミーロールを回転している版胴の印刷版に接触させつつ回転させ、下流側液溜まりの洗浄液が塗着され続けているダミーロールにより印刷版への洗浄液の塗着を継続し、
印刷動作再開時には、版胴を下流部から上流部に移動させて印刷版への印刷液の転移塗布を行わせ、続いて版胴を下流部に移動させて下流側液溜まりの洗浄液が付着されたダミーロールを移動させて印刷版に接触しつつ回転させ、これによりダミーロールの表面に印刷版の印刷液を転写させてロール試し刷りを行い、ロール試し刷り後、ダミーロールを印刷版から離脱方向に移動させ、且つ、版胴を上流部に移動させて印刷版への印刷液の転移塗布を行わせる往復動作を１乃至複数回行わせ、
続いて、版胴を上流部と印刷部との間を往復させ、上流部において印刷液が転移塗布された印刷版により、印刷部に設置されたダミー印刷基板に基板試し刷りをさせ、且つ基板試し刷りの都度ダミー印刷基板を交換させ、
基板試し刷り終了後、ダミー印刷基板を正規の印刷基板に交換させ、版胴が上流部と印刷部との間を往復して正規の印刷基板に印刷をさせる、
ことを特徴とする請求項３に記載の印刷方法。
【発明の詳細な説明】
【技術分野】
【０００１】
本発明はフレキソ印刷法において、印刷作業に供する前に版胴に装着された印刷版を伸ばし切り、印刷作業に供する状態では伸びない安定状態にすると同時に印刷液を印刷版に含ませてこれを膨潤させて印刷に馴染ませ、また試し刷りを行うダミー印刷基板数やダミー印刷に使用するダミーフィルムを削減し、さらに印刷作業中断、停滞時に印刷版の乾燥を防止して早期に印刷作業に復帰できるようにダミーロールを備えた、印刷装置とその印刷方法に関する。
【背景技術】
【０００２】
フレキソ印刷法においては、アニロックスロール上に塗着された印刷液を、版胴に装着された印刷版に接触させて転移し、これを印刷基板上に転写して印刷を行う。
この印刷版は、ゴム又は樹脂で作られており、新たに版胴に装着された印刷版は、版胴に装着されて印刷に供される。その際、新たに版胴に装着された印刷版は当初所定の長さだけ伸びるので、印刷に供するまでにその伸び代を伸ばしてしまって安定化した状態で印刷に供する必要がある。加えて、新しい印刷版は印刷液を弾いてしまい、印刷液の乗りが悪い。そこで、上記印刷版の伸びが上限に至り、伸びを生じない状態まで伸ばすこと（サチレーション）と、印刷液の膨潤による印刷に対する馴染みが十分となるまで印刷基板を用いて大量の「試し刷り」を行っていた。【０００３】
この点は、印刷作業中に作業の中断があり、一旦、長時間に亘って作業停滞後に作業を再開するような場合の印刷版は乾燥してしまい、改めて「試し刷り」を大量に行う必要があった。【０００４】
このようなダミー印刷に用いる印刷基板上への大量の試し刷りを無くし、必要ダミー印刷基板数を大幅に削減するために、ダミー印刷基板の代わりにダミーロールを用い、そのダミーロールの表面上に試し刷りを行い、１回の試し刷り終了毎にダミーロール表面を洗浄し、複数回のダミーロール表面上への試し刷り後にダミー印刷基板に印刷を行うことで、大幅にダミー印刷に用いる印刷基板数を削減する技術が特許文献１に開示されている。
【先行技術文献】
【特許文献】
【０００５】
【特許文献１】国際公開２０１２／１５３３６９号公報
【発明の概要】
【発明が解決しようとする課題】
【０００６】
しかしながら特許文献１に記載の印刷装置は、印刷作業中、印刷装置が何らかの理由で長時間停止した時、印刷版の表面が乾燥するとすぐには印刷作業に復帰できないため、印刷版の表面の乾燥を防ぐために、印刷版を版胴から取り外し、別途、乾燥しないように保管するようにしており、印刷作業再開時には、印刷版を再度、版胴に装着し、印刷版の伸びのサチレーションによる寸法の安定化と印刷液膨潤による馴染ませ、試し刷り等の調整を行うという作業が必要であり、印刷装置の使い勝手が悪化し、稼働率の低下を生じることがあった。【０００７】
本発明は、版胴に新たな印刷版を装着した時の印刷版の伸びのサチレーションによる寸法の安定化と印刷液膨潤による馴染ませ作業の短縮化、試し刷りの大幅削減、及び印刷版の乾燥防止による迅速な作業復帰に基づく稼働率向上対策を１つのダミーロールで実現する印刷装置とその印刷方法を提供するものである。
【課題を解決するための手段】
【０００８】
上記の課題を解決するため、請求項１に記載の印刷装置５０は、
上流部８と下流部１０及び両者の間に設けられた印刷部１４を備えた装置本体１と、印刷版２が装着され、上流部８と下流部１０との間及び上流部８と印刷部１４との間で往復移動可能且つ回転可能に設けられた版胴４とを備えた印刷装置５０であって、
上流部８は、
上流部８側に移動した版胴４の印刷版２に接触しつつ回転し、その表面に塗布されている印刷液６を印刷版２に転移塗着させるアニロックスロール１６を有し、
下流部１０は、
下流部１０側に移動した版胴４の印刷版２に対して接離自在に配設された回転可能なダミーロール２２と、
ダミーロール２２に回転しつつ接触して該接触部位に形成された下流側液溜まり２９に供給された洗浄液２４をダミーロール２２に付着させる下流側ドクターロール２８と、
ダミーロール２２と下流側ドクターロール２８とを移動させ、印刷版２方向への移動時に下流部１０に位置する印刷版２にダミーロール２２を接触させる駆動ユニット３０と、
ダミーロール２２の印刷版２方向への移動側に設けられたダミーロール２２露出用の開口部３４、及び、該記開口部３４に開閉自在に設けられ、ダミーロール２２が印刷版２から離間した時に開口部３４を閉塞するシャッターカバー３６とを備え、その内部にダミーロール２２と下流側ドクターロール２８とを収納する収納部３２とを有し、
印刷部１４は、試し印刷が為されるダミー印刷基板４０及び前記ダミー印刷後に正規の印刷が行われる正規印刷基板１２が配設される配設部位を備える、ことを特徴とする構成とした。【０００９】
請求項２として、請求項１の印刷装置５０に、次の構成を加えることが好適である。
前記ダミーロール２２と前記下流側ドクターロール２８は、それぞれ別のモータＭ１、Ｍ２で回転駆動されていることを特徴とする構成である。【００１０】
請求項３は、請求項１に記載の印刷装置５０を用いて印刷を行う方法であって、
印刷版２を版胴４に装着し、
印刷版２を装着した版胴４を下流部１０へ移動させ、且つ、シャッターカバー３６を作動させて収納部３２の開口部３４を開き、移動させたダミーロール２２を開いた開口部３４から露出させ、露出したダミーロール２２を版胴４の印刷版２に（第１の押圧力にて）押圧させつつ回転させて印刷版２を版胴４に馴染ませ（飽和モード）、
次に、版胴４が下流部１０から上流部８に移動した時にアニロックスロール１６に印刷版２を接触させて印刷版２への印刷液６の転移塗布を行わせ、版胴４が下流部１０に移動した時に下流側液溜まり２９の洗浄液２４が付着されたダミーロール２２を移動させて印刷版２に（第２の押圧力にて）接触しつつ回転させ、これによりダミーロール２２の表面に印刷版２の印刷液６を転写させてロール試し刷りを行い、
ロール試し刷りの後、ダミーロール２２を印刷版２から離脱方向に移動させ、且つ、版胴４を上流部８に移動させて印刷版２への印刷液６の転移塗布を行わせる往復動作を１乃至複数回行わせ（ダミーモード）、
続いて、版胴４を上流部８と印刷部１４との間を往復させ、上流部８において印刷液６が転移塗布された印刷版２により、印刷部１４に設置されたダミー印刷基板４０に基板試し刷りをし、且つ基板試し刷りの都度ダミー印刷基板４０を交換させ（ダミー印刷モード）、
基板試し刷り終了後、ダミー印刷基板４０を正規の印刷基板１２に交換させ、版胴４を上流部８と印刷部１４との間に往復させて正規の印刷基板１２に印刷をさせる（印刷モード）、ことを特徴とする印刷方法である。【００１１】
請求項４は、請求項３の「印刷モード」ではダミーロール２２が遊んでいて表面が乾燥してしまう状態となるので、これを防止するための構成で、
洗浄液２４を下流側液溜まり２９に供給し、これを回転している下流側ドクターロール２８にて回転しているダミーロール２２表面全体に均一に塗着させるようにすることを特徴とする印刷方法である。【００１２】
請求項５は、請求項３の印刷モードにおいて順調に印刷が行われていてその間、下流部１０側が（待機モード）に入る場合で、
ダミーロール２２及び下流側ドクターロール２８を駆動ユニット３０により印刷版２から離脱する方向に移動させて収納部３２に収納し、然る後、収納部３２の開口部３４をシャッターカバー３６で閉塞してダミーロール２２を外気から遮断することを特徴とする請求項３に記載の印刷方法である。【００１３】
請求項６は、請求項３の印刷モードにおいて、印刷動作が何等かのトラブルで長時間停止した場合（停滞モード）で、
印刷版２が装着された版胴４を印刷部１４から下流部１０へ移動させ、且つ、シャッターカバー３６を開いて収納部３２の開口部３４を開放させ、
ダミーロール２２及び下流側ドクターロール２８を駆動ユニット３０により、下流部１０に移動した印刷版２側に移動させてダミーロール２２を回転している版胴４の印刷版２に（第３の押圧力にて）接触させつつ回転させ、下流側液溜まり２９の洗浄液２４が塗着され続けているダミーロール２２により印刷版２への洗浄液２４の塗着を継続し、
印刷動作再開時には、版胴４を下流部１０から上流部８に移動させて印刷版２への印刷液６の転移塗布を行わせ、続いて版胴４を下流部１０に移動させて下流側液溜まり２９の洗浄液２４が付着されたダミーロール２２を移動させて印刷版２に接触しつつ回転させ、これによりダミーロール２２の表面に印刷版２の印刷液６を転写させてロール試し刷りを行い、ロール試し刷り後、ダミーロール２２を印刷版２から離脱方向に移動させ、且つ、版胴４を上流部８に移動させて印刷版２への印刷液６の転移塗布を行わせる往復動作を１乃至複数回行わせ（ダミーモード）、
続いて、版胴４を上流部８と印刷部１４との間を往復させ、上流部８において印刷液６が転移塗布された印刷版２により、印刷部１４に設置されたダミー印刷基板４０に基板試し刷りをさせ、且つ基板試し刷りの都度ダミー印刷基板４０を交換させ（ダミー印刷モード）、
基板試し刷り終了後、ダミー印刷基板４０を正規の印刷基板１２に交換させ、版胴４が上流部８と印刷部１４との間を往復して正規の印刷基板１２に印刷をさせる（印刷モード）、ことを特徴とする印刷方法である。
【発明の効果】
【００１４】
本発明の印刷装置において、本発明の印刷方法を用いることで、新しい印刷版使用時の版伸びのサチレーションによる印刷版の寸法安定化と印刷液の膨潤による印刷への馴染み性の向上や、試し刷り用ダミー印刷基板数の削減、さらに印刷作業停滞時の印刷版の乾燥防止を１つのダミーロールで実現することができ、印刷装置の性能、使い勝手、及び稼働率を改善し、コストパフォーマンスを向上させることができる。
また、印刷作業中にダミーロール表面の乾燥を防止する収納部を有し、突発の印刷作業停滞時に速やかにダミーロールと印刷版表面とを接触させて印刷版表面の乾燥防止に備えることができる。【００１５】
さらに、ダミーロールと、その表面に洗浄液を塗着させる下流側ドクターロールを別々のモータで回転駆動することでダミーロールと下流側ドクターロールの周速を互いに独立させて自由にコントロールすることができ、洗浄液の溶解性、粘度、或いは揮発性等に応じた回転数に調整することができて種類の異なる洗浄液を使用することも可能となり、多様な作業レシピに対応することができる。加えて、ダミーロールと下流側ドクターロールの周速が異なる場合、両者の接触部分で摩擦が生じ、試し刷りダミー印刷時のダミーロールに転写された印刷液を効果的に洗浄除去できる。【００１６】
本発明の印刷装置による飽和モードでは、版胴表面に新たに装着されたゴム又は樹脂で作られた印刷版を、ダミーロールが（第１の押圧力にて）強く押圧しつつ回転し、印刷版を回転方向にしごいて伸ばす。その結果、印刷版が回転方向に伸びて印刷版の寸法が安定する。
飽和モードでダミーロールが印刷版を押圧する圧力（第１の押圧力）は、後述する停滞モードでダミーロールが印刷版を押圧力（第３の押圧力）の２倍以上の圧力であり、この大きな圧力により上記のように印刷版の伸びが安定する状態（サチレーション）になる。【００１７】
本発明の印刷装置によるダミーモードでは、版胴表面に装着された印刷版をダミー印刷基板に接触させて行う試し刷りの前に、ダミーロールを接触させて行うロール試し刷りを行うので、その後に行われる基板試し刷りに必要なダミー印刷基板数を大幅に削減することができる。【００１８】
本発明の印刷装置の印刷モードでは、印刷版が装着された版胴は印刷部に移動して印刷作業中となる。一方、ダミーロールは収納部に収納され、待機モードになる。
収納部では、その開口部をシャッターカバーで覆うことでダミーロールを大気から遮断し、さらに洗浄液供給部から洗浄液をダミーロールと下流側ドクターロールとの接触部位に構成される下流側液溜まりに洗浄液を供給し、回転している下流側ドクターロールでこれに接触しつつ回転しているダミーロール表面に洗浄液を塗着し続けることで、ダミーロールの表面が乾燥することを防いでいる。これらの効果により、印刷モードで何等かの作業中断が起こった場合、印刷モードから速やかに後述の停滞モードに移行して作業中断による待機中の印刷版の乾燥を防止することができる。【００１９】
本発明の印刷装置による停滞モードでは、印刷作業の何等かの原因による作業中断時に、印刷版が装着された版胴は印刷部から下流部に速やかに移動すると共にシャッターカバーを開けてダミーロールを移動させ、ダミーロールが版胴の印刷版を押接しつつ回転する。この間、ダミーロールと下流側ドクターロールとの接触部位に構成される下流側液溜まりの洗浄液を版胴に装着された印刷版に塗着して、印刷版の乾燥を防ぐ処理と印刷液の除去処理とが行われる。これらの効果により、印刷作業再開時、版胴は速やかに印刷作業に復帰することができる。【００２０】
本発明の効果は上述のように１つのダミーロールを印刷版の寸法安定化と印刷液の防塵による馴染み性向上、ロール試し刷り、印刷版の乾燥防止と印刷液の除去（印刷作業時及び停止時）に利用することができ、正規印刷に先立って必要とされるダミー印刷基板数の削減、及び中断後の印刷作業復帰時間の短縮化による印刷装置の稼働率向上に大きな効果がある。
【図面の簡単な説明】
【００２１】
【図１】本発明の印刷装置の構成を示す概念図である。
【図２】本発明の印刷装置を用いた各モードの構成を示す概念図である。図２（ａ）は飽和モード、図２（ｂ）は印刷液転移モード、図２（ｃ）はダミーモード、図２（ｄ）はダミー印刷モード、図２（ｅ）は印刷モード及び待機モード、図２（ｆ）は停滞モードの概念図である。
【発明を実施するための形態】
【００２２】
以下、本発明の一実施形態について図面を用いて説明する。図１は、本発明の印刷装置５０の構成を示す概念図である。
本発明の印刷装置５０は、大略、上流部８、下流部１０、及び印刷部１４の３つの部分で構成される装置本体１と、これら３つの部分を往復移動する版胴４から構成される。
【００２３】
上流部８は、版胴４に装着された印刷版２にアニロックスロール１６から印刷液６を転移塗着する部分であり、アニロックスロール１６と印刷液供給部１８と上流側ドクターロール２０とで構成されている。
【００２４】
印刷液６は、例えば液晶の場合、配向膜形成用ポリイミド（ＰＩ）液や絶縁膜形成用液などが適用される。本印刷装置５０は、液晶製造の場合に限られるものでなく、一般の紙やフィルム印刷でも適用可能で、その場合の印刷液６は、紙やフィルム印刷で使用されるインクが使用されることになる。印刷液６は、アニロックスロール１６と後述する上流側ドクターロール２０との接触部位に設けられる上流側液溜まり１９に向けて、印刷液供給部１８から滴下により供給される。勿論、これ以外の方法で上流側液溜まり１９に印刷液１８を供給することも可能である。
【００２５】
アニロックスロール１６は表面に印刷液６を保持するために、金属ロール本体の表面にセラミックスを溶射し、このセラミックス層の表面にレーザー照射にて１辺あたり５０〜１００μｍの四角錐或いは六角錐形の浅い凹穴（セル）を碁盤の目のように密に凹設したロールで、図示しないアニロックスロール駆動用モータにより回転駆動される。
【００２６】
上流側ドクターロール２０はゴムで作られており、本実施例では略水平方向からアニロックスロール１６を一定の圧力で押圧しつつ回転し、上流側液溜まり１９に向けて滴下された印刷液６をアニロックスロール１６の表面上に均一に塗り広げるロールで、図示しない上流側ドクターロール駆動用モータにより回転駆動される。
なお、アニロックスロール１６の押圧方向は略水平方向に限られず、上流側液溜まり１９が両者の間に形成できれば前記以外の方向からの押圧も可能である。
【００２７】
下流部１０は、版胴４に装着された印刷版２を本実施例では下方から上方に向けてダミーロール２２で押圧して押し伸ばし、印刷版２の寸法を安定化させる。
更に、ダミーロール２２表面上にロール試し刷りを行い、更には洗浄液２４で印刷版２の乾燥防止と印刷液６の除去を行う部分であり、ダミーロール２２と洗浄液供給部２６と下流側ドクターロール２８と、これら３つの部分を収納する収納部３２、及びこれら３つの部分、或いは少なくともダミーロール２２と下流側ドクターロール２８とを同時に昇降動作させる駆動ユニット３０で構成されている。
なお、駆動ユニット３０による３つ（又は２つ）の部分の移動方向は上下方向に限られず、上記作用（印刷版２の寸法安定化と印刷液膨潤による印刷馴染み性向上、ダミーロール２２表面上へのダミー印刷、洗浄液２４で印刷版２の乾燥防止と印刷液６の除去）を実現できるのであれば、水平方向その他の方向からの押圧も可能である。
【００２８】
洗浄液２４は、例えば液晶の場合、配向膜形成液の洗浄液としてＮＭＰ（Ｎ−メチル−２−ピロリドン（Ｎ−ｍｅｔｈｙｌｐｙｒｒｏｌｉｄｏｎｅ））が用いられる。ＮＭＰは、ラクタム構造を含む５員環の構造を持つ有機化合物であり、極性溶媒のひとつで、無色又は僅かに黄色がかった液体であり、水や酢酸エチル、クロロホルム、ベンゼン、低級アルコールや低級ケトンといった様々な溶媒と混ざり合うことができ、高い溶解性を持つ。そのため特に高分子化学の分野を中心に様々な物質に対する溶媒として用いられる。また、各種繊維やレジン樹脂、金属皮膜プラスチックの表面処理時の溶媒や、ペンキはがし剤としても用いられる。
【００２９】
洗浄液２４は前述のように１種類だけでもよいが、これを２種類とし、第１液を印刷液６の溶媒とすることで後述するダミーロール２２に転着した印刷液６のあらかたを除去し、仕上げにエタノールのような仕上げ洗浄液を第２液として使用するようにしてもよい。
【００３０】
ここで、後述するダミーロール２２と下流側ドクターロール２８はそれぞれ別々のモータＭ１、Ｍ２で回転駆動するようにした場合、使用する洗浄液の種類によって、ダミーロール２２と下流側ドクターロール２８の回転数をそれぞれ別々に設定することができる。
この洗浄液２４は、ダミーロール２２と下流側ドクターロール２８との接触部位に構成される下流側液溜まり２９に向けて、洗浄液供給部２６から滴下されて供給される。勿論、この場合もこれ以外の方法で下流側液溜まり２９に洗浄液２４を供給することも可能である。
【００３１】
ダミーロール２２は、鉄製円筒でその表面にハードクロムめっきが施され且つその表面が微細に粗く加工された微細粗面状態、又はセラミックス溶射され、その表面がアニロックスロール１６と同様に微細なセルが形成された状態、或いは鉄製円筒の表面にガラス（例えばソーダガラスや石英ガラス（石英ガラスは印刷基板１２及びダミー印刷基板４０の材質と同じで、印刷版２からの印刷液６の転写を印刷基板１２及びダミー印刷基板４０と同じ条件で受けることができ、より好ましい。））が巻き付けられたもので形成されており、印刷版２からダミーロール２２への印刷液６の転写を容易にしている。本実施例ではダミーロール２２の直径は、版胴４の直径よりも小さく作られているが、版胴４と同等或いは大きくてもよく、図示しないダミーロール駆動用モータにより回転駆動される。
【００３２】
下流側ドクターロール２８はゴムで作られており、本実施例では略水平方向からダミーロール２２を一定の圧力で押圧しつつ回転し、ダミーロール２２と下流側ドクターロール２８との接触部位に構成される下流側液溜まり２９に向けて洗浄液供給部２６から滴下された洗浄液２４をダミーロール２２の表面上に均一に塗り広げるロールで、図示しない下流側ドクターロール駆動用モータにより回転駆動される。
下流側ドクターロール２８は、ダミーロール２２とは別のモータで回転駆動されるため、前述のように使用する洗浄液２４の種類に応じて、ダミーロール２２と下流側ドクターロール２８の回転数をそれぞれ別々に設定することができる。
なお、下流側ドクターロール２８の押圧方向は略水平方向に限られず、下流側液溜まり２９が両者の間に形成できれば前記以外の方向からの押圧も可能である。
【００３３】
収納部３２は、ダミーロール２２、洗浄液供給部２６、及び下流側ドクターロール２８を装置本体１内に収容するための空間であり、本実施例では駆動ユニット３０はこれらの部材（或いは少なくともこの内の重要部分であるダミーロール２２と下流側ドクターロール２８）を収納部３２内で同時に昇降動作させる。
収納部３２の上端面には、ダミーロール２２の上端部が突出することができるように開口部３４が設けられている。
開口部３４は、これら移動部材の収納部３２内への収納中は、シャッターカバー３６によって覆われた状態になる。
なお、上記収納部３２は、図示するように下流部１０に移動してきた版胴４の直下だけでなく、図示していないが、下流側液溜まり２９を形成することができる限りにおいて下流部１０に移動してきた版胴４の水平側方或いは上方に設けることも可能である。
【００３４】
印刷部１４は、上流部８と下流部１０の中間にあって、石英ガラスで作られたダミー印刷基板４０又は印刷基板１２が配設されている。ダミー印刷モード及び印刷モードでは、これらの基板（ダミー印刷基板４０又は正規印刷基板１２）は、版胴４に装着された印刷版２がキスタッチ接触して印刷液６が正確に転写される位置に配置されている。
【００３５】
版胴４は金属で作られた円筒状の大型部材で、表面にはゴム又は樹脂で作られた印刷版２が版胴４表面を覆い、巻き付けるように装着されている。装着された印刷版２の一端は版胴４に固定され、他端は公知の装着装置により、（飽和モード）時の印刷版２の伸びを吸収できる構造となっている。
印刷版２が装着された版胴４は上流部８と下流部１０の間、或いは上流部８と印刷版２の間を図示しない版胴駆動用モータによって水平方向に回転しつつ往復移動する。
【実施例】
【００３６】
本発明の実施例について、図２（ａ）〜（ｆ）を用いて説明する。図２（ａ）〜（ｆ）は本発明の印刷装置５０を用いた各モードの構成を示す概念図である。【００３７】
図２（ａ）は新しい印刷版２を版胴４に装着し、印刷版２の寸法安定化と印刷馴染み性を向上させるための（飽和モード）を示す概念図である。印刷版２はゴム又は樹脂で作られており、新しい印刷版２は伸び性があり、伸びがなくなる限界まで伸ばしてから印刷モード（ロール試し刷り、ダミー印刷基板４０によるダミー印刷も含む。）に移る。【００３８】
まず、版胴４を下流部１０に移動させる。同時に、下流部１０では収納部３２のシャッターカバー３６を作動させて開口部３４を開き、ダミーロール２２と下流側ドクターロール２８と洗浄液供給部２６を駆動ユニット３０によって収納部３２内を一体的に上昇させ、開口部３４からダミーロール２２を突出させる。
収納部３２の開口部３４から突出したダミーロール２２は、版胴４に装着された印刷版２を下方から上方に向けて強く押し上げるように接触し、押圧力（第１の押圧力）を加えつつこの状態で所定時間、回転させる。この時の圧力は、後述する停滞モードでの同様の押圧力（第２の押圧力）に比べて２倍以上の強い圧力である。【００３９】
飽和モードの効果を実験によって確認したところ、以下の結果を得た。飽和モードにおける印刷版２へのダミーロール２２の押し込み量を０．２ｍｍ、後述する停滞モードにおける印刷版２へのダミーロール２２の押し込み量を０．１ｍｍとし、所定時間の経過後に両モードでの印刷版２の伸びを測定比較したところ、飽和モードでは停滞モードよりも約１．７倍の印刷版２の伸びを示しており、飽和モードでは短時間で印刷版２の伸び率が飽和した。このことから、飽和モードの効果によって印刷版２が短時間で伸び率が飽和（サチレーション）し、印刷版２寸法が安定したことがわかる。【００４０】
さらに、飽和モードでは、必須ではないが、ダミーロール２２が遊んでいて表面が乾燥してしまう状態となるので、これを防ぐため、洗浄液２４を下流側液溜まり２９に向けて洗浄液供給部２６から滴下し、これを回転している下流側ドクターロール２８にて回転しているダミーロール２２表面全体に均一に塗着させるようにし、ダミーロール２２の乾燥を防止することが好ましい。【００４１】
図２（ｂ）は版胴４に装着された印刷版２に印刷液６を転移する（印刷液転移モード）を示す概念図である。前述の飽和モードによって印刷版２が装着された版胴４を下流部１０から上流部８に移動させて、印刷版２とアニロックスロール１６とを接触、回転させる。
上流部８では、印刷液６が、アニロックスロール１６と上流側ドクターロール２０との接触部位に構成された上流側液溜まり１９に向けて、印刷液供給部１８から滴下されている。
本実施例では、アニロックスロール１６は、略水平方向から上流側ドクターロール２０によって押圧されつつ回転しており、アニロックスロール１６の表面全体に均一に印刷液６が塗着される。塗着された印刷液６は、アニロックスロール１６の表面全体に碁盤の目のように密に凹設された多数の凹穴（セル）によって保持され、印刷版２がアニロックスロール１６に接触して回転することで、アニロックスロール１６の印刷液６が所定の厚さで印刷版２に転移する。
版胴４に装着された印刷版２がアニロックスロール１６と所定時間（或いは１乃至数回転）接触回転することで、印刷液６の印刷版２への転移塗着が完了する。【００４２】
図２（ｃ）は版胴４に装着された印刷版２に転移塗着した印刷液６をダミーロール２２上にロール試し刷りを行う（ダミーモード）を示す概念図である。このとき、印刷液６が転着された印刷版２が装着されている版胴４を下流部１０に移動させ、これに合わせてダミーロール２２、洗浄液供給部２６、及び下流側ドクターロール２８を駆動ユニット３０によって一体的に上昇させる。
ダミーロール２２は下流側液溜まり２９からの洗浄液２４の供給を受けつつ回転し、その表面には洗浄液２４が付着した状態で回転している。【００４３】
ダミーモードでは、ダミーロール２２を収納部３２の開口部３４から突出させ、版胴４を下方から上方に向けて、後述する印刷モード及びダミー印刷モードの圧力とほぼ同一のキスタッチ接触である第２の所定の押圧力で押圧しつつ回転させる。
この回転接触により印刷版２に転移した印刷液６は、洗浄液２４が付着した状態のダミーロール２２表面上に転写され、ダミー印刷基板４０上への印刷と同等の効果を得ると同時にことができる。【００４４】
一方、ダミーロール２２に転写された印刷液６は下流側液溜まり２９の洗浄液２４と、ダミーロール２２と下流側ドクターロール２８との接触回転による摩擦力により洗浄されてダミーロール２２の表面から除去される。
なお、本装置５０では、印刷版２には洗浄液２４が付着するが、ダミーロール２２の洗浄液２４を印刷版２との接触直前で掻き落とすスクレーパがないので、従来のようにスクレーパとダミーロール２２との摩擦によるコンタミネーション（微細パーティクル）の発生がなく、印刷版２は清浄な状態に保たれる。【００４５】
ダミーロール２２への転写（ロール試し刷り）が終了した印刷版２は、版胴４の復帰移動により上流部８側に戻り、再度、アニロックスロール１６に接触しつつ回転し、印刷版２への印刷液２の再塗着がなされる。アニロックスロール１６とダミーロール２２との往復によるこのダミーロール２２への転写動作が、複数回繰り返される。
一方、ダミーロール２２に転写された印刷液２は下流側ドクターロール２８との接触回転により洗浄されている。この間、印刷液６が再塗着され、上流部８から下流部１０に移動してきた印刷版２には洗浄されたダミーロール２２が接することになり、洗浄されたダミーロール２２の表面に印刷版２が転写されることになる。換言すれば、毎回、洗浄液で洗浄されたダミーロール２２にロール試し刷りが行われることになる。
ダミーモードでは、印刷版２からのこのダミーロール２２への印刷液６の転写及び除去という動作を、所定回数繰り返すことで、ダミー印刷基板４０への同程度の基板試し刷りと同様の効果を得ることができ、ダミー印刷基板４０への基板試し刷りを省くことができる。【００４６】
図２（ｄ）は、ダミー印刷基板４０に基板試し刷りを行う（ダミー印刷モード）を示す概念図である。前述のダミーロール２２へのロール試し刷りの終了後、印刷版２が装着された版胴４を印刷部１４に移動させる。前述の（飽和モード及びダミーモード）により、印刷版２に転移した印刷液６は、印刷版２を膨潤し、その表面を印刷可能な状態にほぼ馴染ませた状態となっているが、印刷品質確保のためにダミー印刷基板４０への基板試し刷りを行う。
即ち、毎回、印刷版２に印刷液６を塗着し、この印刷版２が装着された版胴４を上流部８と印刷部１４との間で回転させつつ複数回往復させ、印刷版２の印刷液６をダミー印刷基板４０にダミー印刷する。基板試し刷りの当初は前述のように印刷版２に洗浄液２４が付着しているが、基板試し刷りを繰り返すことで洗浄液２４は次第にダミー印刷基板４０に転写され、最終的には印刷版２からなくなる。【００４７】
このダミー印刷基板４０への基板試し刷りの枚数は、前述のダミーモードの効果により大幅に削減することができる。この後、ダミー印刷基板４０を正規の印刷基板１２に交換することで後述の印刷モードに移行することができる。【００４８】
図２（ｅ）は、実際の印刷作業を行う（印刷モード）と、印刷作業中のダミーロール２２の乾燥を防止する（待機モード）を示す概念図である。
（印刷モード）では、印刷液６の塗着印刷版２が装着された版胴４を上流部８から印刷部１４に移動させて、印刷版２を正規印刷基板１２に接触させて印刷液６を正規印刷基板１２に形成された微細回路パターン上に転写し、印刷を行う。この間にダミーロール２２、洗浄液供給部２６、及び下流側ドクターロール２８を駆動ユニット３０によって一体的に下降させて収納部３２の内部に収め、収納部３２の上端部にある開口部３４をシャッターカバー３６で覆い、ダミーロール２２が大気に暴露しないように密閉する。
これらと並行して下流側液溜まり２９に向けて洗浄液供給部２６から滴下された洗浄液２４は、両ロール２２、２８の接触回転によってダミーロール２２の表面に塗着され続け、（印刷モード）におけるその表面の乾燥を防止することができる。
洗浄液２４は、ダミーロール２２の表面の乾燥状況又は待機モードの継続時間等の状況に応じて、洗浄液供給部２６から間欠的に、又は連続的に滴下される。従ってこの場合、洗浄液供給部２６は洗浄液２４の種類に合わせて複数個が用意される。【００４９】
本印刷装置５０を用いれば、印刷作業中断、停滞時には印刷版２が装着された版胴４を速やかに下流部１０に移動させて後述の（停滞モード）に移行させ、更には印刷作業中断原因解消後の迅速な正常運転復帰を実現することができる。このことはダミーロール２２の表面が印刷作業中においても乾燥していないことで実現可能となった。【００５０】
図２（ｆ）は、前述の印刷モードにおいて印刷作業中の本印刷装置５０が、何らかの理由で印刷作業が長時間に亘って中断、停滞した場合、印刷版２の乾燥を防止する（停滞モード）を示す概念図である。
この時、印刷版２が装着された版胴４を下流部１０に移動させ、同時にシャッターカバー３６を開けて、ダミーロール２２、洗浄液供給部２６、及び下流側ドクターロール２８を駆動ユニット３０によって一体的に上昇させる。
そして、ダミーロール２２を、収納部３２の開口部３４から突出させ、版胴４を下方から上方に向けて、キスタッチ接触よりも大きな圧力、且つ飽和モードにおける半分以下の圧力である第２の所定の圧力（ダミーロール２２の印刷版２への押し込み量：０．１ｍｍ）で押圧しつつ回転させる。
また、下流側液溜まり２９に向けて洗浄液供給部２６から滴下された洗浄液２４は、ダミーロール２２の表面に塗着され、その表面から印刷版２の表面に転移塗着する。洗浄液２４の印刷版２の表面に転移塗着はトラブル解消まで続けられ、その間の印刷版２の乾燥を防止することができる。
洗浄液２４は、ダミーロール２２の表面の乾燥状況又は停滞モードの継続時間等の状況に応じて、洗浄液供給部２６から間欠的に、又は連続的に滴下される。
また、版が洗浄液で濡れ過ぎる事を防ぐため、一定時間毎にダミーロール２２を移動し、版胴４から離す。【００５１】
なお、従来の印刷装置では、繰り返しになるが、印刷作業中断、停滞時には印刷版を版胴から取り外して、乾燥しないように別容器に収納していたため、印刷作業復帰時には、印刷版を版胴に装着し直し、再度、印刷版の寸法安定化と印刷液膨潤による馴染ませ、印刷液を転移させ、多数枚のダミー印刷基板を用いてダミー印刷を繰り返して行った後で、正規印刷基板を用いた印刷作業を再開していた。
本印刷装置５０を用いれば、長時間に亘る停滞モードから印刷作業復帰時には、印刷版２は版胴４に装着されたままのため、再度、印刷版の寸法安定化と印刷液膨潤による馴染ませは必要としない。そのため、飽和モードに戻る必要はなく、印刷液転移モード、ダミーモード及びダミー印刷モードを経て印刷モードに至り、印刷作業を短時間で再開することができる。その結果、ダミー印刷基板４０の枚数削減だけでなく、本印刷装置５０の稼働率を向上させることができる。【００５２】
以上の説明のように、本発明によれば、版胴に新たな印刷版を装着した時の版ずれ、試し刷り、及び印刷版の乾燥防止、稼働率向上対策を１つのダミーロールで実現する印刷装置とその方法を提供することができる。
その他に、当業者が想定できる範囲で様々な変更を行えることは勿論である。
【符号の説明】
【００５３】
１：装置本体、２：印刷版、４：版胴、６：印刷液、８：上流部、１０：下流部、１２：印刷基板、１４：印刷部、１６：アニロックスロール、１８：印刷液供給部、１９：上流側液溜まり、２０：上流側ドクターロール、２２：ダミーロール、２４：洗浄液、２６：洗浄液供給部、２８：下流側ドクターロール、２９：下流側液溜まり、３０：駆動ユニット、３２：収納部、３４：開口部、３６：シャッターカバー、４０：ダミー印刷基板、５０：印刷装置、Ｍ１・Ｍ２：モータ。
【図１】
2018051384.tif 000003
【図２】
2018051384.tif 000004
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
上流部と下流部及び両者の間に設けられた印刷部を備えた装置本体と、印刷版が装着され、上流部と下流部との間及び上流部と印刷部との間で往復移動可能且つ回転可能に設けられた版胴とを備えた印刷装置であって、
上流部は、
上流部側に移動した版胴の印刷版に接触しつつ回転し、その表面に塗布されている印刷液を印刷版に転移塗着させるアニロックスロールを有し、
下流部は、
下流部側に移動した版胴の印刷版に対して接離自在に配設された回転可能なダミーロールと、
ダミーロールに回転しつつ接触して該接触部位に形成された下流側液溜まりに供給された洗浄液をダミーロールに付着させる下流側ドクターロールと、
ダミーロールと下流側ドクターロールとを移動させ、印刷版方向への移動時に下流部に位置する印刷版にダミーロールを接触させる駆動ユニットと、
ダミーロールの印刷版方向への移動側に設けられたダミーロール露出用の開口部、及び、該開口部に開閉自在に設けられ、ダミーロールが印刷版から離間した時に開口部を閉塞するシャッターカバーとを備え、その内部にダミーロールと下流側ドクターロールとを収納する収納部とを有し、
印刷部は、試し印刷が為されるダミー印刷基板及びダミー印刷後に正規の印刷が行われる正規印刷基板が配設される配設部位を備える、
ことを特徴とする印刷装置。
【請求項２】
ダミーロールと下流側ドクターロールは、それぞれ別のモータで回転駆動されていることを特徴とする請求項１に記載の印刷装置。
【請求項３】
請求項１に記載の印刷装置を用いて印刷を行う方法であって、
印刷版を版胴に装着し、
印刷版を装着した版胴を下流部へ移動させ、且つ、シャッターカバーを作動させて収納部の開口部を開き、移動させたダミーロールを開いた開口部から露出させ、露出したダミーロールを版胴の印刷版に押圧させつつ回転させて印刷版を版胴に馴染ませ、
次に、版胴が下流部から上流部に移動した時にアニロックスロールに印刷版を接触させて印刷版への印刷液の転移塗布を行わせ、版胴が下流部に移動した時に下流側液溜まりの洗浄液が付着されたダミーロールを移動させて印刷版に接触しつつ回転させ、これによりダミーロールの表面に印刷版の印刷液を転写させてロール試し刷りを行い、
ロール試し刷りの後、ダミーロールを印刷版から離脱方向に移動させ、且つ、版胴を上流部に移動させて印刷版への印刷液の転移塗布を行わせる往復動作を１乃至複数回行わせ、
続いて、版胴を上流部と印刷部との間を往復させ、上流部において印刷液が転移塗布された印刷版により、印刷部に設置されたダミー印刷基板に基板試し刷りをし、且つ基板試し刷りの都度ダミー印刷基板を交換させ、
基板試し刷り終了後、ダミー印刷基板を正規の印刷基板に交換させ、版胴を上流部と印刷部との間に往復させて正規の印刷基板に印刷をさせる、
ことを特徴とする印刷方法。
【請求項４】
洗浄液を下流側液溜まりに供給し、これを回転している下流側ドクターロールにて回転しているダミーロール表面全体に均一に塗着させるようにすることを特徴とする請求項３に記載の印刷方法。
【請求項５】
ダミーロール及び下流側ドクターロールを駆動ユニットにより印刷版から離脱する方向に移動させて収納部に収納し、然る後、収納部の開口部をシャッターカバーで閉塞してダミーロールを外気から遮断することを特徴とする請求項３に記載の印刷方法。
【請求項６】
印刷版が装着された版胴を印刷部から下流部へ移動させ、且つ、シャッターカバーを開いて収納部の開口部を開放させ、
ダミーロール及び下流側ドクターロールを駆動ユニットにより、下流部に移動した印刷版側に移動させてダミーロールを回転している版胴の印刷版に接触させつつ回転させ、下流側液溜まりの洗浄液が塗着され続けているダミーロールにより印刷版への洗浄液の塗着を継続し、
印刷動作再開時には、版胴を下流部から上流部に移動させて印刷版への印刷液の転移塗布を行わせ、続いて版胴を下流部に移動させて下流側液溜まりの洗浄液が付着されたダミーロールを移動させて印刷版に接触しつつ回転させ、これによりダミーロールの表面に印刷版の印刷液を転写させてロール試し刷りを行い、ロール試し刷り後、ダミーロールを印刷版から離脱方向に移動させ、且つ、版胴を上流部に移動させて印刷版への印刷液の転移塗布を行わせる往復動作を１乃至複数回行わせ、
続いて、版胴を上流部と印刷部との間を往復させ、上流部において印刷液が転移塗布された印刷版により、印刷部に設置されたダミー印刷基板に基板試し刷りをさせ、且つ基板試し刷りの都度ダミー印刷基板を交換させ、
基板試し刷り終了後、ダミー印刷基板を正規の印刷基板に交換させ、版胴が上流部と印刷部との間を往復して正規の印刷基板に印刷をさせる、
ことを特徴とする請求項３に記載の印刷方法。
【手続補正２】
【補正対象書類名】明細書
【補正対象項目名】０００８
【補正方法】変更
【補正の内容】
【０００８】
上記の課題を解決するため、請求項１に記載の印刷装置５０は、
上流部８と下流部１０及び両者の間に設けられた印刷部１４を備えた装置本体１と、印刷版２が装着され、上流部８と下流部１０との間及び上流部８と印刷部１４との間で往復移動可能且つ回転可能に設けられた版胴４とを備えた印刷装置５０であって、
上流部８は、
上流部８側に移動した版胴４の印刷版２に接触しつつ回転し、その表面に塗布されている印刷液６を印刷版２に転移塗着させるアニロックスロール１６を有し、
下流部１０は、
下流部１０側に移動した版胴４の印刷版２に対して接離自在に配設された回転可能なダミーロール２２と、
ダミーロール２２に回転しつつ接触して該接触部位に形成された下流側液溜まり２９に供給された洗浄液２４をダミーロール２２に付着させる下流側ドクターロール２８と、
ダミーロール２２と下流側ドクターロール２８とを移動させ、印刷版２方向への移動時に下流部１０に位置する印刷版２にダミーロール２２を接触させる駆動ユニット３０と、
ダミーロール２２の印刷版２方向への移動側に設けられたダミーロール２２露出用の開口部３４、及び、該開口部３４に開閉自在に設けられ、ダミーロール２２が印刷版２から離間した時に開口部３４を閉塞するシャッターカバー３６とを備え、その内部にダミーロール２２と下流側ドクターロール２８とを収納する収納部３２とを有し、
印刷部１４は、試し印刷が為されるダミー印刷基板４０及びダミー印刷後に正規の印刷が行われる正規印刷基板１２が配設される配設部位を備える、ことを特徴とする構成とした。
【国際調査報告】
2018051384.tif 000005
2018051384.tif 000006